(57)【要約】【課題】一つの把手に設けるラッチの係止解除機構用の駆動部材を１個にすることができこと。【解決手段】錠ケースに係合板を設け、この係合板に係合する一つの駆動部材を把手の軸受け部材に水平状態に固定し、錠ケースの内部空間には、ラッチと係脱する係止部を有する係止部材を第１・第２支持体に軸支し、また該第１・第２支持体に係止部材に設けた第１被係合部及び第２被係合部にそれぞれ押圧係合する第１係合部と第２係合部とをそれぞれ有する作動カムを軸支し、この作動カムは係合板と協働するように組み合わせられ、把手を水平方向に操作すると、該把手と一体の駆動部材が左右いずれかに揺動すると共に、係止部材は、係合板及びこれに連動する作動カムを介して付勢バネのバネ力に抗して係合解除の方向へ回転する錠前用ラッチの係止解除機構。【選択図】　図１０
2004100313.tif 000002
【特許請求の範囲】
【請求項１】
錠ケースに係合板を設け、この係合板に係合する一つの駆動部材を把手の軸受け部材に水平状態に固定し、錠ケースの内部空間には、ラッチと係脱する係止部を有する係止部材を第１・第２支持体に軸支し、また該第１・第２支持体に係止部材に設けた第１被係合部及び第２被係合部にそれぞれ押圧係合する第１係合部と第２係合部とをそれぞれ有する作動カムを軸支し、この作動カムは係合板と協働するように組み合わせられ、把手を水平方向に操作すると、該把手と一体の駆動部材が左右いずれかに揺動すると共に、係止部材は係合板及びこれに連動する作動カムを介して付勢バネのバネ力に抗して係合解除の方向へ回転する錠前用ラッチの係止解除機構。
【請求項２】
請求項１に於いて、作動カム６２はラッチ支持枠５３の背板５３ａと係止部材７０との間に配設されていることを特徴とする錠前用ラッチの係止解除機構。
【請求項３】
請求項１に於いて、駆動部材４５が一方の軸受け部材１１Ａに固着され、しかも、該駆動部材４５と一体の把手４は、縦軸２６Ａを介して錠ケース３に枢着されていることを特徴とする錠前用ラッチの係止解除機構。
【請求項４】
請求項１に於いて、把手４にはバネ受け部材１６用の軸受け部材１１が設けられ、前記バネ受け部材１６と駆動部材４５とは、同一形状であることを特徴とする錠前用ラッチの係止解除機構。
【発明の詳細な説明】
【０００１】
【発明の属する技術分野】
本発明は、錠前用ラッチの係止解除機構に関する。
【０００２】
【従来の技術】
錠前用ラッチの係止解除機構に関する実施例は、例えば特開２００１−２２７２１０号や特開平２００１−３３４２５８号に記載されている。前者はリンク機構を介してロッキングピース（係止部材）を係合解除の方向に回転させる構成を採用している。
【０００３】
一方、後者は錠箱内に軸支されかつ上方の第１受部と下方の第２受部とを有する駆動部材と、この駆動部材とラッチとの間に位置するように錠箱内に軸支されかつ先端部側にラッチの後端部側と係脱する係止部を有すると共に、後端部側の立ち上がり部に前記駆動部材に設けた押圧部と摺接する摺接部分を有する係脱部材とから構成されている。
【０００４】
しかしながら、従来の実施例は、一つの把手の操作によって駆動する部材（駆動部材）が二個必要である、駆動部材と従動部材（ロッキングピース又は係脱部材）が錠ケースの長さ方向に並んでいるなどの理由から、駆動部材の数を少なくすべきである、錠ケースの内部空間を合理的に活用すべきである等幾つかの解決すべき問題点があった。
【０００５】
【発明が解決しようとする課題】
本発明の第１の目的は、一つの把手に設けるラッチの係止解除機構用の駆動部材を１個にすることである。第２の目的は、錠ケースの内部空間を合理的に活用することである。第３の目的は、把手、軸受け部材、駆動部材を合理的に結合し、しかも、把手を錠ケースに簡単に枢着することである。第４の目的は、バネ受け部材、駆動部材など主要な構成部材を自由に組み合わせることができることである。したがって、例えば一つの部品であっても内外勝手を無くすることができることである。
【０００６】
【課題を解決するための手段】
本発明の錠前用ラッチの係止解除機構は、錠ケースに係合板を設け、この係合板に係合する一つの駆動部材を把手の軸受け部材に水平状態に固定し、錠ケースの内部空間には、ラッチと係脱する係止部を有する係止部材を第１・第２支持体に軸支し、また該第１・第２支持体に係止部材に設けた第１被係合部及び第２被係合部にそれぞれ押圧係合する第１係合部と第２係合部とをそれぞれ有する作動カムを軸支し、この作動カムは係合板と協働するように組み合わせられ、把手を水平方向に操作すると、該把手と一体の駆動部材が左右いずれかに揺動すると共に、係止部材は係合板及びこれに連動する作動カムを介して付勢バネのバネ力に抗して係合解除の方向へ回転することを特徴とする。
【０００７】
上記構成に於いて、作動カムは、ラッチ支持枠の背板と係止部材との間に配設されていることを特徴とする。
【０００８】
【発明の実施の形態】
図１乃至図１４に於いて、１は水平方向に開閉する扉である。扉１は、例えばアルミ型材の門扉であり、該門扉１の取付け端部は塀間に設けた柱に枢着されている。もちろん、扉１は躯体（建物）の玄関口に設けたものであっても良く、門扉に限らない。
【０００９】
２は錠前の一例としてのプッシュプル錠で、このプッシュプル錠２は扉１の開閉端部の適宜箇所（例えば上部の内側、上部寄りの部位の内側等）に取付けられている。プッシュプル錠２は、普通一般に扉１の内外に取付けられるが、本実施例では、扉１の内側に取付けられている一例を示す。
【００１０】
３は錠ケースで、この錠ケース３の一側壁にプッシュプル方式の板状把手４が取付けられている。５は反転式のラッチで、このラッチ５は対向する扉６或いは躯体に設けられた受け具（例えばトロヨケ，ストライク）７に係脱する。８は把手を貫通して錠ケース３に取付けられたサムターンである。
【００１１】
ここで図１を参照に、ラッチ５の構成について説明する。５ａはストライク７ａの開口縁と摺接する垂直状態の衝止面である。５ｂ，５ｂは、ラッチ５の菱形状上下面からそれぞれ突出する突起軸で、これらの突起軸はラッチが水平状態で回転する際、回転軸の機能を果す。５ｃ，５ｃはラッチの二股状の後端部に段差状に突設する係合受け部で、本実施例では下方の係合受け部５ｃは、後述する係止部材の係止部と係合する機能を有する。５ｄはラッチの後端部に形成されたラッチバネ用の収納切欠部で、この収納切欠部５ｄにはバネ受板が入り込んでいる。５ｅは衝止面５ａと鋭角（例えば４８度）で交差する当接斜面で、この当接斜面５ｅは扉閉戸時にストライク７ａの他方の縁部に当接すると、ラッチ５が後退しながら反転方向に回転するのを許容する。
【００１２】
なお、本実施例では、説明の便宜上、前記突起５ｂ，５ｂを基準として前側をラッチの先端部、後側をラッチの後端部として説明するが、ラッチの先端部とラッチの後端部とをそれぞれ別体に設計変更し、ラッチの後端部をラッチに連動するスライダー部材にしても良い。
【００１３】
したがって、ラッチの形態如何を問わないが、本発明が錠前用ラッチの係止解除機構であることから、ラッチ５或いはスライダー部材は、少なくとも係合受け部５ｃを有することが必要である。
【００１４】
図２は本発明を構成する把手４、該把手に固定された上下の軸受け部材１１，１１Ａ、同一形態の部材１６，４５等を示す。把手４は一端部側の中央部にサムターン８用の取付け孔９を有する。また中央部寄りの部位に片手を差し入れることができる縦長孔１０が形成されている。
【００１５】
軸受け部材１１，１１Ａは、前記取付け孔９を基準にして板状把手の内壁面４ａの上下（垂直線上）に突出固定されている。上下の軸受け部材１１，１１Ａは同一構成なので、ここでは下方の軸受け部材１１Ａを中心に説明し、上方の軸受け部材１１には同一の符号を付して重複説明を割愛する。
【００１６】
下方の軸受け部材１１Ａは直方体或いは立方体状のブロック形状に形成されている。下面の縁部には合計３個の位置決め用突起１２が所要間隔を有して形成されている（上方軸受け部材１１を参照）。図２を基準にすると、２個の突起１２，１２は、手前側の左右縁部に突設され、他の一つ１２は把手４の内壁面側に接する中央縁部に突設されている。
【００１７】
したがって、後述の駆動部材４５は、その駆動アーム部１８Ａが扉１に対して直交状態になるように幅広基部１７Ａが三箇所の突起１２に規制される。この点はバネ受け部材１６も同様であり、そのバー状バネ受け部１８が扉１に対して直交状態になるように幅広基部１７が三箇所の突起１２に規制される。また軸受け部材１１Ａの中央部には、貫通状態の長い軸孔１３が形成されている。
【００１８】
そして、この長軸孔１３の基準として下面の左右にはネジ穴１４，１４が形成されている。この点上方の軸受け部材１１も同様であり、中央部に長軸孔１３や上面にネジ穴１４，１４がそれぞれ形成されている。
【００１９】
以上の説明から明らかなように、上下の軸受け部材１１，１１Ａは同一構成であり、一方の軸受け部材を引っ繰り返すと、他方の軸受け部材として使用可能である。
【００２０】
なお、軸受け部材１１，１１Ａは錠ケース３に形成された上下の嵌合凹所に直接又は間接的に嵌入し、かつ、錠ケース３に固定されることから、軸受け部材１１，１１Ａの外壁面に固着具用逃し部（適当な切欠部）を適宜に形成しても良い。
【００２１】
１６は上方の軸受け部材１１に固定されるキープレート形状のバネ受け部材である。一方、４５は下方の軸受け部材１１Ａに固定されるキープレート形状の駆動部材である。
【００２２】
図３で示すように、バネ受け部材１６と駆動部材４５は同一構成である。まず、バネ受け部材１６は、幅広基部１７と、この幅広基部１７の先端縁の中央部から水平方向にバー状に延びたバネ受け部１８とから成り、前記幅広基部１７の中央部には短い軸孔１９が形成され、この短軸孔１９の左右に固着具２０用の取付け孔２１，２１が形成されている。
【００２３】
またバネ受け部材１６の幅広基部１７は、前述した軸受け部材１１の上面に位置決め嵌合されることから、３個の位置決め用突起１２との係合関係を考慮し、その縁部には小突起２２や小切欠２３が設けられている。
【００２４】
バネ受け部材１６の幅広基部１７が軸受け部材１１の上面に面接触状態に嵌合すると、その短軸孔１９や取付け孔２１，２１は、軸受け部材１１の対応する長軸孔１３やネジ穴１４，１４と符合する。
【００２５】
したがって、バネ受け部材１６は２個の固着具２０を介して軸受け部材１１に固着される。バネ受け部材１６は軸受け部材１１に固着されると、軸受け部材１１を介して把手４と一体となる。この場合把手４の内壁面４ａから水平状態に突出した格好となる。
【００２６】
次に駆動部材４５は、バネ受け部材１６と同様に軸受け部材１１Ａの下面に固着具２０，２０を介して固定される幅広基部１７Ａと、この幅広基部１７Ａの先端縁の中央部から水平方向にバー状に延びた駆動アーム部１８Ａとから成る（図７参照）。幅広基部１７Ａに形成された短い軸孔、取付け孔等や固着構成は、バネ受け部材１６とそれらと同様なので同一の符号を付して重複する説明を割愛する。
【００２７】
図４は、把手４が錠ケース３に枢着された状態の概略断面説明図である。把手４は、サムターン８を基準にして錠ケース３の上部側と下部側にそれぞれ形成された横向き嵌合凹所３９，３９Ａにそれぞれ嵌合する断面コ字型状軸受け補助板２５，２５Ａ並びに錠ケースに設けられた縦軸２６，２６Ａを介して枢着されている。
【００２８】
図５は把手４の軸受け部材１１（１１Ａ）に外嵌合する軸受け補助板の一例を示す。上方の軸受け補助板２５を引っ繰り返すと、下方の軸受け補助板２５Ａになる。したがって、本実施例では上方の軸受け補助板２５と下方の軸受け補助板２５Ａも同一構成である。それ故に、説明の便宜上、ここでは上方の軸受け補助板２５を説明し、下方の軸受け補助板２５Ａには同一の符号を付す。
【００２９】
軸受け補助板２５（２５Ａ）は、図４で示すように軸受け部材１１（１１Ａ）に外嵌合する。換言すれば、軸受け補助板２５，２５Ａは、錠ケース３の嵌合凹所３９，３９Ａ内にそれぞれ固定的に内装された後に、該嵌合凹所内に軸受け部材１１，１１Ａが同時に嵌挿される。
【００３０】
しかして、軸受け補助板２５（２５Ａ）は、図５で示すように、例えば垂直板部２７と、この垂直板部２７の上下端部を対向状態に折り曲げ形成した軸受け板部２８，２８とから成る。
【００３１】
前記垂直板部２７の上部（引っ繰り返した時は下部）には、バネ受け部材１６（駆動部材４５）のバネ受け部（駆動アーム部）用の水平案内長孔２９が形成され、この水平案内長孔２９の下方（引っ繰り返した時は上方）には合計２個の第２固着具３０用の貫通孔３１が形成されている。
【００３２】
また軸受け板部２８，２８の中央部には軸孔３２，３２がそれぞれ形成されている。上下の縦軸２６，２６Ａは、本実施例では少なくとも軸受け補助板２５，２５Ａの上下の軸孔３２，３２にそれぞれ嵌め込まれる。
【００３３】
図６は把手の復帰機構を示す横概略断面図である。一方、図７は錠前用ラッチの係止解除機構Ｘの位置関係を示す横概略断面図である。
【００３４】
まず、図６を参照にして把手の復帰機構について説明する。錠ケース３は、図６又は図７で示すように、錠前用ラッチの係止解除機構Ｘを構成する各部材を組み込むための大きな内部空間３５を有する。３６は錠ケース３の肉厚部３７に前記内部空間３５に連通する中心孔を介して横方向に形成されたバネ収納部である。このバネ収納部３６には、対向する端部がバネ受け部材１６のバネ受け部１８の左右の側壁面にそれぞれ圧接する左右一対のバネ部材４１，４１が横状態に組み込まれている。
【００３５】
しかして、バネ部材４１，４１は、本実施例では圧縮コイルバネ４２，４２と、この圧縮コイルバネ４２，４２の各一端部にそれぞれ固定され、かつ、バネ力がバネ受け部１８の左右の側壁面にそれぞれ均等に圧接する当て板４３，４３とから成る。つまり、バネ部材４１は複数個設けられている。
【００３６】
３８は錠ケース３の肉厚部３７に把手４の内壁面４ａ側に突出するように連設する断面半円弧状膨出部である。図６及び図７で示すように、この膨出部３８の上部側と下部側には、前述した上下の軸受け部材１１，１１Ａ等がそれぞれ遊嵌合状態に入り込む嵌合凹所３９，３９Ａが形成されている。そして、上方の嵌合凹所３９には前述したバネ収納部３６と連通する中心孔４０が形成されている。次に、図７を参照にして錠前用ラッチの係止解除機構Ｘの一部を構成する駆動部材４５と、該駆動部材によって左右に回転する係合板４６について説明する。
【００３７】
前述したように下方の軸受け部材１１Ａは、上方の軸受け部材１１と同一構成である。そして、本実施例では、下方の軸受け部材１１Ａは、その突起１２が下向きになるように把手４の内壁面４ａに固定されている。
【００３８】
図７は駆動部材４５が下方の軸受け部材１１Ａの下面に固着され、しかも、該駆動部材４５と一体の把手４が下方の縦軸２６Ａを介して錠ケース３に枢着されている状態を示す。この場合駆動部材４５の幅広基部１７Ａは下方の嵌合凹所３９Ａに嵌入し、またその駆動アーム１８Ａは下方の軸受け補助板２５Ａの水平案内長孔並びに中心孔４０Ａを貫通した状態で係合板４６の切欠部４６ａ入り込んでいる。
【００３９】
４７は中心孔４０Ａ並びに内部空間３５に連通する係合板４６用案内部である。図８に示すように、周縁部の一部に駆動アーム１８Ａ用切欠部４６ａを有する円形状係合板４６は、錠ケース３の肉厚部３７の内壁面に形成された円形溝状案内部４７に回転自在に嵌合している。
【００４０】
したがって、駆動アーム部１８Ａは、肉厚部３７の中心孔４０Ａを貫通し、係合板４６の切欠部４６ａに係合している。
【００４１】
図９乃至図１１は、錠前用ラッチの係止解除機構Ｘを示す各概略説明図である。まずラッチ５を取り巻く環境部材について説明する。図９に示す符号５０は、錠ケース３の肉厚部３７の内壁面に固定された板状第１支持体で、この第１支持体５０はいわばケース身に相当する。
【００４２】
一方、５１は第１支持体５０に所要間隔を有して対向する板状第２支持体で、この第２支持体５１はいわばケース蓋に相当する。駆動部材４５及び係合板４６を除き、ラッチ支持枠５３や図１１で示すラッチ用係止部材、作動カムなどは、この第１支持体５０と第２支持体５１との間に組み込まれている。
【００４３】
図１０で示すように、前記ラッチ支持枠５３は、断面コ字型状に形成され、錠ケース３のフロント（前板も含む）５４に形成した開口５５に向かって固定的に配設されている。ラッチ支持枠５３内には、ラッチバネ５６が設けられている。ラッチバネ５６の先端部はラッチ５に直接又は間接的に圧接し、一方、後端部はラッチ支持枠５３の背板５３ａの内壁面に圧接している。
【００４４】
またラッチ支持枠５３内には、ラッチ５の後端部が位置し、その下方係合受け部５ｃは、ラッチ支持枠５３の水平下板５３ｂにラッチの後退方向に一部形成した係止部材用切欠部５７に臨んでいる。さらに、ラッチ支持枠５３の先端部内にはラッチ５の突起軸５ｂ，５ｂが位置している。したがって、ラッチ５はラッチ支持枠５３の前記水平下板５３ｂと水平上板５３ｂに支持さている。
図１１を参照にして係止解除機構Ｘを構成する他の部材について説明する。前述したように符号４５は駆動部材、２５Ａは下方の軸受け補助板、４６は係合板である。これら各部材の具体的構成は前述した通りである。
【００４５】
係合板４６は一側面から水平方向に突出する角型の水平作動軸６１を備えている。この作動軸６１は錠ケース３内の第１・第２支持体５０，５１に適宜に軸支された作動カム６２の筒状部６３の角孔６４に嵌入している。作動カム６２はラッチ支持枠５３の背板５３ａと腕状係止部材７０との間に配設されている。
【００４６】
しかして、作動カム６２は、筒状部６３の外周壁から上方に突起（指）状に延びた係止部材用第１係合部６５と、この第１係合部６５の下部ないし筒状部６３の外周壁の一部に突起状に連設する係止部材用第２係合部６６とを有している。７０は錠ケース３内の第１・第２支持体５０，５１に横設軸架された固定軸８０に軸支された腕状或いはアングル状の係止部材である。係止部材７０は、基本的には左右一対の腕状係合板７１，７１と、腕状係合板７１，７１の先端部側の下部を連結する板状連結部７２とから成る。
【００４７】
本実施例に関係があるのは、一方（図１１で言えば左側）の腕状係合板７１のみである。他方の腕状係合板７１は、外側用作動カム８２と関係する（外側用作動カム８２は、例えば図７では仮想線で示す）。
【００４８】
しかして、係止部材７０は、中央部に固定軸用の軸孔７３を有し、この軸孔７３を基準にして水平方向に延びる水平腕部７４の先端部には、ラッチ５の係合受け部５ｃと係脱する左右一対の係止部７５，７５が突出形成されている。
【００４９】
また軸孔７３を基準にして垂直方向に延びる垂直腕部７６の上端部には、左右一対の平面Ｌ型状及び平面逆Ｌ型状第１被係合部７７，７７が折り曲げ形成されている。
【００５０】
さらに、前記水平腕部７４の後端部（軸孔７３付近）上面には、作動カムの第２係合部６６と係合する受板状の第２被係合部７８が設けられている。
８１は係合部材用付勢バネで、この係合部材用付勢バネ８１は固定軸８０に巻装され、係止部材７０の係止部７５がラッチ５の係合受け部５ｃに係合するように常時付勢する。
【００５１】
次に作用について説明する。図６及び図７は、把手４が初期位置（復帰位置）の場合を示す。この場合左右のバネ部材４１，４１のバネ力は、バネ受け部材１６のバネ受け部１８に対してそれぞれ均等に作用している。また駆動部材４５も、図７で示すように扉１に対して平行状態である。
【００５２】
したがって、把手４は扉１に対して平行状態である。普通一般にプッシュプル錠は、把手が扉に対して平行状態の時（把手停止時）、ラッチは錠前内部のラッチ用の係止機構を構成するストッパー（係止部材）に係止されている。本発明も同様であり、図１０で示すように、ラッチ５はその係合受け部５ｃを介して係止部材７０の係止部７５に係止されている。
【００５３】
図１２及び図１３は、把手４を扉１側にプッシュ（押す操作）した場合を示す。この場合把手４と一体のバネ受け部材１６は、上方の縦軸２６を中心に、一方、把手４と一体の駆動部材４５は下方の縦軸２６Ａを中心に同方向（時計方向）に回転する。
【００５４】
しかして、バネ受け部材１６が時計方向に水平回転すると、左側のバネ部材４１はバネ力に抗して収縮する反面、右側のバネ部材４１はやや伸張する。また駆動部材４５が時計方向に水平回転すると、係合板４６は、図８の矢印Ａ方向（時計方向）へ回転する。そうすると、内側の作動カム６２は作動軸４８を介して係合板４６と同じ方向に回転する。この時作動カム６２の第２係合部６６は、係止部材７０の第２被係合部７８を押圧するため、係止部材７０は付勢バネ８１のバネ力に抗して係合解除の方向に回転する（図１０では解除状態を仮想線で示す）。
【００５５】
このように、本発明では把手４を扉１側にプッシュ（押す操作）した場合にラッチの係止状態が解消されるが、さらに、把手４を扉１から離れるようにプル（引く操作）した場合にもラッチの係止状態が解消される。
【００５６】
図１４は把手４を扉１側に引いた場合における駆動部材４５の動きを示す。しかして、駆動部材４５が縦軸を中心に反時計方向に水平回転すると、係合板４６は、図８の矢印Ｂ方向（反時計方向）へ回転する。そうすると、内側の作動カム６２は作動軸４８を介して係合板４６と同じ方向に回転する。この時可動カム６２の指状第１係合部６５は、係止部材７０の上方の第１被係合部７７をラッチ支持枠５３方向へと押圧するため、係止部材７０は固定軸８０を支点に付勢バネ８１のバネ力に抗して係合解除の方向に回転する。
【００５７】
それ故に、本発明では、一つの駆動部材４５が左右に揺動すると、一つ係合板４６及びこれに連動する一つ作動カム６２を介して二つの被係合部７７，７８を有する係止部材７０が係合解除の方向へ回転する。
【００５８】
なお、本発明の技術的思想は、プッシュブル錠に適用したので、扉１を閉めて把手４から手を放すと、バネ受け部材１６は左右いずれかのバネ部材４１のバネ力により元の位置へ自動的に戻る。この時、駆動部材４５も元の位置に戻る。係止部材７０は付勢バネ８１のバネ力により、ラッチ５を係止する方向へと回転する。
【００５９】
【実施例】
本実施例に於いて、把手４の形状は、平面視長板状であるが、例えば平面視波状に形成し、或いはＬ型状に形成しても良い。また把手４は錠ケース３の上下の嵌合凹所３９，３９Ａに固定的に内装された軸受け補助板２５，２５Ａを介して錠ケースに軸支されているが、軸受け補助板２５，２５Ａを用いないで、例えば軸受け部材１１，１１Ａと、これらの軸受け部材１１，１１Ａを貫通状態に嵌挿する縦軸２６，２６Ａとで軸支しても良い。
【００６０】
【発明の効果】
以上の説明から明らかなように、本発明にあっては、次に列挙するような作用・効果がある。
（１）一つの把手に設けるラッチの係止解除機構用の駆動部材を１個にすることができる。また、各部品の製作や組み合わせが容易である。
（２）請求項２に記載の発明は、錠ケースの内部空間を合理的に活用することができる。
（３）請求項３に記載の発明は、把手、軸受け部材、駆動部材を合理的に結合し、しかも、把手を錠ケースに簡単に枢着することができる。
（４）請求項４に記載の発明は、バネ受け部材、駆動部材など主要な構成部材を自由に組み合わせることができる。したがって、例えば一つの部品であっても内外勝手を無くすることができる。
【図面の簡単な説明】
図１乃至図１４は本発明の一実施例を示す各概略説明図。
【図１】実施環境を平面から示した説明図（なお、ラッチは斜視図）。
【図２】把手の内壁面側の主たる部材を斜視で示した概略説明図。
【図３】要部（バネ受け部材或いは駆動部材）を示した斜視図。
【図４】把手を錠ケースに枢着した縦概略断面説明図。
【図５】要部（軸受け補助板）を示した斜視図。
【図６】要部（バネ受け部材）を中心とした横概略断面説明図。
【図７】要部（駆動部材）を中心とした横概略断面説明図。
【図８】駆動部材により作動する係合板の説明図。
【図９】本発明の主要部を示す一部縦概略断面説明図。
【図１０】本発明の主要部を示す縦概説明図。
【図１１】本発明の主要部材の分解斜視図。
【図１２】把手を扉側にプッシュした場合におけるバネ部材の作用の説明図。
【図１３】把手を扉側にプッシュした場合における駆動部材の作用の説明図。
【図１４】把手を扉から離れるようにプルした場合における駆動部材の作用の説明図。
【符号の説明】
Ｘ…係止解除機構、１，６…扉（躯体）、２…プッシュプル錠、３…錠ケース、４…把手、４ａ…内壁面、５…ラッチ、５ｃ…係合受け部、７…受け具、８…サムターン、９…サムターン取付け孔、縦長孔、１１，１１Ａ…軸受け部材、１２…突起、１３…長い軸孔、１４…ネジ穴、１６…バネ受け部材、１７，１７Ａ…幅広基部、１８…バネ受け部、１８Ａ…駆動アーム部、１９…短軸孔、２０…固着具、２１…取付け孔、２２…小突起、２３…小切欠、２５，２５Ａ…軸受け補助板、２６，２６Ａ…縦軸、２７…垂直板部、２８…軸受け板部、２９…水平案内長孔、３０…第２固着具、３１…貫通孔、３２…上下の軸孔、３５…内部空間、３６…バネ収納部、３７…肉厚部、３８…膨出部、３９，３９Ａ…嵌合凹所、４０，４０Ａ…中心孔、４１…バネ部材、４２…圧縮コイルバネ、４３…当て板、４５…駆動部材、４６…係合板、４６ａ…切欠部、４７…案内孔、５０…第１支持体、５１…第２支持体、５３…ラッチ支持枠、５４…フロント、５５…開口、５６…ラッチバネ、５７…ラッチ支持枠の切欠部、６１…作動軸、６２…作動カム、６３…筒状部、６４…角孔、６５…第１係合部、６６…第２係合部、７０…係止部材、７１…腕状係合板、７２…連結部、７４…水平腕部、７５…係止部、７６…垂直腕部、７７…第１被係合部、７８…第２被係合部、８０…固定軸、８１…係合部材用付勢バネ。
【図１】
2004100313.tif 000003
【図２】
2004100313.tif 000004
【図３】
2004100313.tif 000005
【図４】
2004100313.tif 000006
【図５】
2004100313.tif 000007
【図６】
2004100313.tif 000008
【図７】
2004100313.tif 000009
【図８】
2004100313.tif 000010
【図９】
2004100313.tif 000011
【図１０】
2004100313.tif 000012
【図１１】
2004100313.tif 000013
【図１２】
2004100313.tif 000014
【図１３】
2004100313.tif 000015
【図１４】
2004100313.tif 000016
【手続補正書】
【提出日】平成14年9月12日(2002.9.12)
【手続補正１】
【補正対象書類名】明細書
【補正対象項目名】０００２
【補正方法】変更
【補正の内容】
【０００２】
【従来の技術】
錠前用ラッチの係止解除機構に関する実施例は、例えば特開２００１−２２７２１０号や特願２００１−３３４２５８号に記載されている（未公開）。前者はリンク機構を介してロッキングピース（係止部材）を係合解除の方向に回転させる構成を採用している。